(57)【要約】  本発明は、キャビネット本体２と、キャビネット本体に対して変位可能な１つ以上の部品３とを有しており、さらにキャビネット本体と少なくとも１つの変位可能なキャビネット部品との間で電気エネルギーを無線で伝達するための結合装置を有している家具１であって、結合装置が、キャビネット本体に位置する第１の電気回路１１、およびキャビネット部品に位置する第２の電気回路１２を少なくとも有しており、第１の電気回路が、第２の電気回路への供給のために、少なくともキャビネット本体からキャビネット部品へと電気エネルギーを伝達するように設計されており、第２の電気回路が、少なくとも１つの電気装置を制御するために、少なくとも１つの操作装置７において入力することができる操作データまたは信号を、少なくともキャビネット本体に位置する回路１１へと伝達するように設計されている家具に関する。【選択図】図３
2011505184.tif 000002
【特許請求の範囲】
【請求項１】
家具本体（２）と、前記家具本体（２）に対して可動である少なくとも１つ以上の家具部品、特に前記家具本体に対して変位可能である１つ以上の引き出し（３）とを有しており、さらに前記家具本体（２）と前記少なくとも１つの可動の家具部品（３）との間で電気エネルギーを無線で伝達するための結合装置を有している家具（１）において、
前記結合装置が、少なくとも
ａ）前記家具本体に配置された第１の電気回路（１１）、および
ｂ）前記可動の家具部品（３）に配置された第２の電気回路（１２）
を有しており、
ｃ）前記第１の電気回路（１１）が、前記可動の家具部品に位置する対応する第２の電気回路（１１）への供給のために、少なくとも前記家具本体から前記可動の家具部品（３）に電気エネルギーを伝達するように設計されており、
ｄ）前記第２の電気回路（１２）が、少なくとも１つの電気器具を制御するために、少なくとも１つの操作装置（７）において入力することができる操作データまたは信号を、少なくとも前記家具本体（２）に配置された回路（１１）に伝達するように設計されている
ことを特徴とする家具（１）。
【請求項２】
作動させられる前記少なくとも１つの電気器具が、前記引き出しのうちの１つ（３）を出すための排出装置（１８）であることを特徴とする、請求項１に記載の家具。
【請求項３】
前記排出装置（１８）のうちの１つが、前記引き出しの各々へと割り当てられていることを特徴とする、請求項２に記載の家具。
【請求項４】
前記操作装置（７）のうちの１つ以上が、ただ１つの引き出し（３）に配置されており、前記操作装置における入力が、個別の操作装置を有していない１つ以上の他の引き出し（３）の排出装置（１８）も作動させるために使用され、あるいは個別の操作装置を有していない１つ以上の他の引き出し（３）の排出装置（１８）だけを作動させるために使用されることを特徴とする、請求項１〜３のいずれか一項に記載の家具（１）。
【請求項５】
前記結合装置が、誘導によって作動するように設計されていることを特徴とする、請求項１〜４のいずれか一項に記載の家具。
【請求項６】
前記誘導によって作動する結合装置が、前記引き出し（３）が引き込まれた状態にあるときに限ってデータおよびエネルギーを伝達するように設計されていることを特徴とする、特に請求項１〜５のいずれか一項に記載の家具。
【請求項７】
電気エネルギーを無線で伝達するための前記結合装置が、前記家具本体（２）に配置された第１のモジュール（９）と、前記引き出し（３、４、５）のうちの１つに配置された第２のモジュール（１０）とを有しており、前記第１および第２のモジュール（９、１０）の各々に、結合素子（３１、３６）を有する協働する電気回路（１１、１２）が設けられていることを特徴とする、請求項１〜６のいずれか一項に記載の家具。
【請求項８】
前記電気回路（１１、１２）が、励起子およびトランスポンダとして構成されていることを特徴とする、請求項１〜７のいずれか一項に記載の家具。
【請求項９】
前記励起子が、前記家具本体（２）に配置され、前記トランスポンダが、前記引き出し（３）に配置されることを特徴とする、請求項１〜８のいずれか一項に記載の家具。
【請求項１０】
前記励起子および前記トランスポンダが、前記引き出し（３）がほぼ完全または完全に引き込まれた状態にあるときに限ってデータおよび／またはエネルギーを伝達する目的のために設計されていることを特徴とする、請求項１〜９のいずれか一項または請求項１の前段部分に記載の家具。
【請求項１１】
前記電気回路（１１、１２）の各々が、誘導結合素子（３１、３６）を有していることを特徴とする、請求項１〜１０のいずれか一項に記載の家具。
【請求項１２】
前記電気回路（１１、１２）の各々が、前記誘導結合素子（３１、３６）として１つのコイル（１３、１４）を有していることを特徴とする、請求項１〜１１のいずれか一項に記載の家具。
【請求項１３】
前記家具本体に位置するモジュール（９）が、電源ユニットを有する前記排出装置（１８）へと多導体ケーブル（１７）を介して接続されていることを特徴とする、請求項１〜１２のいずれか一項に記載の家具。
【請求項１４】
前記引き出し（３）上または前記引き出し（３）内に位置するモジュール（１０）が、前記少なくとも１つまたは複数の操作装置（７）に多導体ケーブル（１９）を介して接続されていることを特徴とする、請求項１〜１３のいずれか一項に記載の家具。
【請求項１５】
前記モジュール（９、１０）の各々が、前記家具本体（２）または前記引き出し（３）に位置するハウジング（２０、２１）を有していることを特徴とする、請求項１〜１４のいずれか一項に記載の家具。
【請求項１６】
前記結合装置が、前記結合装置を有するハウジング（２０、２１）を有するモジュール（９、１０）を有しており、前記ハウジング（２０または２１）の少なくとも一方または前記ハウジング（２０または２１）の一部分が、前記家具本体または前記可動の家具部分、特に前記少なくとも１つの引き出しに、限られた態様で可動であるように配置されていることを特徴とする、請求項１〜１４のいずれか一項または請求項１の前段部分に記載の家具。
【請求項１７】
前記ハウジングの一方（２０）に、少なくとも１つの受け入れ構造（２２）が設けられ、他方のハウジング（２１）に、前記引き出しが完全に引き込まれた状態にあるときに前記受け入れ構造（２２）へと差し込まれる目的のために設計された延長部（２３）が設けられていることを特徴とする、請求項１６に記載の家具。
【請求項１８】
前記延長部（２３）が、フェライト磁芯を有する、あるいはフェライト磁芯として構成されていることを特徴とする、請求項１〜１７のいずれか一項に記載の家具。
【請求項１９】
前記ハウジング（２０、２１）の各々を、前記モジュール（９、１０）の穴または長穴（２５）などの設置手段または固定手段において、前記家具の該当部分、すなわち家具本体（２）または引き出し（３）に設置できることを特徴とする、請求項１〜１８のいずれか一項に記載の家具。
【請求項２０】
前記回路（１１）を収容するためのハウジングの中央領域（２０ａ）が、前記モジュールを前記家具本体に設置するための設置手段（２５）を有しているハウジングの領域（２０ｂ、ｃ）に対して可動性を有するように接続されていることを特徴とする、請求項１〜１９のいずれか一項に記載の家具。
【請求項２１】
前記可動性が、前記ハウジングの領域（２０ａ）が、前記設置装置を有している設置プレート（２７）へと、１つ以上のばね膜（２６）を介して接続されることで実現されていることを特徴とする、請求項１〜２０のいずれか一項に記載の家具。
【請求項２２】
前記ハウジングの領域（２０ａ）が、互いに間隔をあけて位置する１つ以上の波状に湾曲したばね膜（２６）によって、前記設置プレート（２７）へと接続されていることを特徴とする、請求項１〜２１のいずれか一項に記載の家具。
【請求項２３】
前記ハウジング（２０）が、前記ばね膜（２６）および前記設置プレート（２７）と共に一部品に構成されていることを特徴とする、請求項１〜２２のいずれか一項に記載の家具。
【請求項２４】
前記延長部（２３）および／または前記受け入れ構造（２２）が、円錐形に形成されていることを特徴とする、請求項１〜２３のいずれか一項に記載の家具。
【請求項２５】
励起子として構成され前記家具本体（２）に配置された前記回路（１１）が、好ましくは、電源装置（２８）、前記電源装置（２８）の下流の発振器（２９）、前記発振器（２９）の下流のパルス整形装置（３０）、および前記装置（３０）の下流の誘導結合素子（３１）を有しており、前記誘導結合素子（３１）から前記引き出し（３）上の対応の結合素子（３６）にエネルギーを伝達することを特徴とする、請求項１〜２４のいずれか一項に記載の家具。
【請求項２６】
前記回路（１１）が、前記誘導結合素子（３１）に結合された信号および／または前記トランスポンダによって無線で送信されて、前記結合素子（３１）によって受信された信号を処理するために、前記排出装置（１８）などの消費物を前記信号の関数として動作させる目的のために設計することができる信号サンプリング装置（３２）ならびに前記信号サンプリング装置（３２）の下流に位置する復調器（３３）および信号分析装置（３４）をさらに有していることを特徴とする、請求項１〜２５のいずれか一項に記載の家具。
【請求項２７】
制御回路、特にマイクロコントローラ（３５）が、前記励起子回路（１１）の構成要素のうちの１つ以上に接続されていることを特徴とする、請求項１〜２６のいずれか一項に記載の家具。
【請求項２８】
前記マイクロコントローラ（３５）が、前記発振器（２９）、前記パルス整形装置（３０）、前記信号サンプリング装置（３２）、前記復調器（３３）、および前記信号分析装置（３４）に接続されていることを特徴とする、請求項１〜２７のいずれか一項に記載の家具。
【請求項２９】
前記回路（１２）が、前記誘導結合素子（３６）を有しており、前記誘導結合素子（３６）の下流に、電源装置（３７）およびパルス分離段（３８）が並列に配置されており、前記パルス分離段（３８）が、制御装置（３９）に接続され、前記操作装置（７）が、入力／出力ロジック（４０）が割り当てられた前記制御装置（３９）の入力に接続され、前記信号を出力するための回路が、前記制御装置（３９）に接続された変調器（４１）と、前記変調器（４１）の下流に位置し、前記誘導結合素子（３６）に接続されている発振器（４２）と、をさらに有していることを特徴とする、請求項１〜２８のいずれか一項に記載の家具。
【請求項３０】
前記回路（１０）および（１１）が、一方および他方、すなわち前記トランスポンダ（１２）から前記励起子（１１）へのデータの伝達（Ｓ）および前記励起子（１１）から前記トランスポンダ（１２）へのエネルギーの伝達（Ｅ）が、ブロック（Ｅ、Ｓ、Ｅ）において時間に関してずらされた態様で行われるような形でシーケンス制御されることを特徴とする、請求項１〜２９のいずれか一項に記載の家具。
【請求項３１】
前記結合装置が、容量によって動作する結合装置として設計されていることを特徴とする、請求項１〜３０のいずれか一項に記載の家具。
【請求項３２】
家具本体（２）と、前記家具本体（２）に対して可動である家具部品、特に引き出し（３）とを有しており、さらに操作情報を入力するための操作装置（７）を有している家具（１）であり、または請求項１に記載の家具において、
前記操作装置（７）のうちの１つ以上が、前記家具部品、特に引き出し（３）のうちの１つに配置されており、前記１つ以上の操作装置（７）の入力が、１つ以上の別の可動の家具部品、特に引き出し（３）の排出装置（１８）をも作動させるために使用され、あるいはそのような排出装置（１８）のみを作動させるために使用されることを特徴とする家具。
【請求項３３】
複数の家具（１）と、該複数の家具の各々が、家具本体（２）および前記家具本体（２）に対して可動である複数の家具部品、特に引き出し（３）とを有しており、さらに操作情報を入力するための操作装置（７）を有している家具構成体において、
前記操作装置（７）のうちの１つ以上が、或る家具の前記家具部分、特に引き出し（３）のうちの１つに配置されており、前記１つ以上の操作装置（７）の入力が、前記家具または当前記家具構成体における別の家具の１つ以上の別の家具部品、特に引き出し（３）の排出装置（１８）を作動させるためにも使用され、あるいはそのような排出装置（１８）のみを作動させるためにも使用されることを特徴とする、家具構成体。
【発明の詳細な説明】
【技術分野】
【０００１】
本発明は、家具本体と、家具本体に対して可動である少なくとも１つ以上の家具部品、特に、家具本体に対して変位可能である１つ以上の引き出しとを有しており、さらに家具本体と少なくとも１つの可動の家具部品との間で電気エネルギーを無線で伝達するための結合装置を有している家具に関する。
【背景技術】
【０００２】
この種の家具は公知である。
【発明の概要】
【発明が解決しようとする課題】
【０００３】
本発明の目的は、本発明による家具の機能性を向上させ、その構造を簡潔に設計することにある。
【課題を解決するための手段】
【０００４】
本発明は、この目的を、請求項１の主題によって達成する。さらには、請求項１の主題の改良と考えることができ、あるいは別個独立の発明と考えることもできる請求項１６および３２の同時発生的な主題も提供される。
【０００５】
請求項１の特徴部分によれば、結合装置は、家具本体に配置された少なくとも１つの第１の電気回路と、可動の家具部品に配置された対応する第２の電気回路とを有しており、第１の電気回路が、第２の電気回路への供給のために、家具本体から可動の家具部品へと電気エネルギーを伝達するように設計されており、さらに第２の電気回路が、少なくとも１つの電気器具を制御するために、少なくとも１つの操作装置において入力することができる操作データまたは信号を、家具本体に位置する回路へと伝達するように設計されている。操作装置は、最も単純な形態において、押しボタンスイッチなどのトリガ素子である。
【０００６】
このようにして、家具本体と可動の家具部品との間に保持されるケーブルを、単純な方法で省略することができ、それでもなお、家具本体に配置された排出装置（ejection device）などの電気装置を、引き出し、特に、その前面パネルに配置された操作部材を使用して動作または作動させることができる。
【０００７】
請求項１８によれば、結合装置は、対応する結合装置を有するハウジングを有するモジュールを有しており、ハウジングの少なくとも一方またはハウジングの一部分が、家具本体または可動の家具部分に限られた様相で可動であるように配置されている。さらにハウジングに家具部品が閉鎖状態にあるときに噛み合う対応する手段が設けられる場合には、この目的のために、一方のハウジングに、少なくとも１つの受け入れ構造が設けられ、他方のハウジングに、引き出しが完全に引き込まれた状態にあるときに前記受け入れ構造へと完全に差し込まれる目的のために設計された延長部が設けられ、スライド移動に垂直な方向の引き出しの遊びにもかかわらず、結合手段を有するハウジングが閉鎖状態においてエネルギーおよびデータの伝達が高い機能的信頼性にて生じるような態様で互いに対して向くことが、単純な方法で確保される。これにより、互いに可動な家具部品を、きわめて精密にはまり合うように設計する必要を、なくすことが可能である。用語「ハウジング」を、過度に狭く定めてはならない。用語「ハウジング」は、少なくとも結合手段を保持するために使用されるハウジングに類似し、あるいはプレートに類似する任意の構成要素を含む。しかしながら、ハウジングは、回路全体を収容してもよく、さらには回路全体をすべての面において囲んでもよい。
【０００８】
さらには、請求項３３によれば、操作装置のうちの１つ以上が、引き出しのうちの１つ（好ましくは、ただ１つ）に配置され、この（これらの）操作装置の入力が、好ましくは別個の操作装置を有していない１つ以上の別の引き出しの排出装置を作動させるためにも使用され、あるいはそのような排出装置を作動させるためだけに使用される。したがって、さらなる操作装置を省略することができ、家具の外観が改善され、操作が簡単にされる。
【０００９】
請求項３３によれば、さらに本発明は、複数の家具を有する家具構成体を提供する。各々の家具が、家具本体と、家具本体に対して可動である家具部品、特に、引き出しとを有しており、さらに操作情報を入力するための操作装置を有している。そのような操作装置のうちの１つ以上が、１つの家具本体にのみ配置され、あるいは家具の家具部品、特に、引き出しのうちの１つにのみ配置され、この（これらの）操作装置の入力が、この家具の１つ以上の別の引き出しまたは別の家具の１つ以上の引き出しの排出装置を作動させるためにも使用され、あるいはそのような排出装置だけを作動させるために使用される。したがって、或る家具部品に位置する１つの操作装置を、別の家具に位置する器具を作動させるためにも使用でき、さらなる操作装置が節約される。
【００１０】
さらに本発明は、エネルギーおよびデータの伝達のための好都合な方法も提供し、その考え方は、請求項３０の装置に関して説明される。
【００１１】
本発明の好都合な実施の形態を、従属請求項から推量することができる。
【００１２】
以下で、本発明を、典型的な実施の形態にもとづいて、図面を参照してさらに詳しく説明する。本発明を実現するための多数のさらなる選択肢も開示される。
【図面の簡単な説明】
【００１３】
【図１】家具の斜視図を示している。
【図２】さらなる家具の簡単な概略の断面図を示している。
【図３】第１の使用位置にある誘導結合素子を有するモジュールの斜視図を示している。
【図４】図３からの構成の断面図を示している。
【図５】第２の使用位置にある図３からの装置を示している。
【図６】図５からの構成の断面図を示している。
【図７】図５および６からの構成の図６に垂直な（部分）断面図を示している。
【図８】図３からの装置の好ましい動作の態様を説明するパルス図を示している。
【図９】励起子のブロック図を示している。
【図１０】トランスポンダのブロック図を示している。
【発明を実施するための形態】
【００１４】
図１は、家具本体２と、家具本体２に対して動かすことができる３つの家具部品（ここでは、引き出しおよび引き込みが可能な引き出し３、４、５として実現されている）とを有している家具１を示している。
【００１５】
操作情報を入力するための少なくとも１つの操作装置７が、この例では最も上方の引き出し３の前部に（前面パネル６に）配置されている。
【００１６】
この操作装置７は、きわめてさまざまな態様で実現することが可能であり、すなわち、ただ１つまたは複数の押しボタンスイッチ、トグルスイッチ、または回転スイッチとして実現でき、あるいはタッチスクリーンなどとして実現することもできる。
【００１７】
複数の操作装置７を設けることも可能であり、したがって、操作装置７のうちの１つ以上を可動の家具部品のうちのただ１つ（ここでは、引き出し３）に設けて、他の家具部品またはさらなる家具部品（ここでは、引き出し４、５）を作動させるためにも使用することが、好都合な改良であると考えられ、独立した発明と考えることも可能である。
【００１８】
どのような場合でも、操作装置７のうちの１つが、家具本体２に配置された少なくとも１つの電気器具を作動させるという目的のために使用され、特に、そのような電気器具は、必ずしもではないが、可動の家具部品を排出するための少なくとも１つの電気排出装置であってよく、あるいは別の電気駆動部または電光など、別の種類の電気装置であってもよい。電気排出装置は、好ましくは各々の引き出しに割り当てられる。
【００１９】
携行される電気配線を可動の家具部品３と家具本体２との間に位置させなくてもよいように、家具１に、家具本体と可動の家具部品との間で電気エネルギーを無線で伝達するための結合装置が設けられる。そのような結合装置は、少なくとも、
・特に可動の家具部品に位置する電気または電子部品（殊には、引き出し３に位置する操作装置および操作装置に割り当てられた電気回路）への供給のために、電気エネルギーを伝達し、
・家具本体に位置する少なくとも１つの電気器具を制御するためにデータを伝達する
ように設計されている。
【００２０】
エネルギーおよびデータの伝達を、２つの別個の装置を介して行うことも考えられる。
【００２１】
電気エネルギーを無線で伝達するための結合装置（図２の概略図を参照）は、家具本体２に配置される第１のモジュール９と、引き出し３、４、５のうちの１つに配置される第２のモジュール１０とを備えており、第１のモジュール９および第２のモジュール１０に、好ましくは励起子およびトランスポンダとして実現される協働する電気回路１１、１２が設けられている。電気回路１１、１２は、必須ではないが好ましくは、図８の図ならびに図１１および１２のブロック図から推量できるとおりの構成および機能であって、さらに詳しく後述されるとおりの構成および機能を有する。
【００２２】
各々の電気回路１１、１２が、好ましい実施の形態においては誘導結合素子３１、３６として実現される結合素子を有している。あるいは、容量結合素子としての実施の形態も、考えることができる。
【００２３】
好ましくは、２つのコイル１３、１４が、誘導結合素子３１、３６として使用される。コイル１３、１４は、図３および４に例として示されており、相応に設計されたコイルキャリアへと巻き付けることが可能である。
【００２４】
モジュール９、１０の協働が、図３〜１０を組み合わせて眺めることによってもたらされる。
【００２５】
図３および４に示されるとおり、各々のモジュール９、１０は、好ましくは家具本体２および引き出し３（ここでは、図示されていない）にそれぞれ取り付けられるハウジング２０、２１を有している。
【００２６】
ハウジング２０には、受け入れ構造２２が設けられており、他方のハウジング２１には、引き出しが完全に引き込まれた状態（図５）にあるときに受け入れ構造２２へと刺さるように設計された延長部２３が設けられている。
【００２７】
延長部２３は、フェライト磁芯２４を有しており、あるいはフェライト磁芯として実現されており、好ましくモジュール１０のコイル１４の内側までハウジング２１の中へと延びている。
【００２８】
押し合わせられた状態（図５〜７）において、フェライト磁芯２４を有する延長部２３が、受け入れ構造２２と同心に位置するコイル１３へと突き出す。
【００２９】
このようにして、少なくとも家具本体に配置された回路１１から、引き出し３に配置された回路１２へと供給エネルギーを無線で伝達し、さらには／あるいは逆方向にデータを無線で伝達するように実現される結合装置（図９および１０を参照）であって、誘導によって動作する結合装置が、引き出しが完全に引き込まれた状態にあるときに実現される。
【００３０】
ハウジング２０、２１の各々を、モジュール９、１０の穴または長穴２５などの設置手段または固定手段において、家具の該当部分（家具本体２または引き出し３）に設置することができる。
【００３１】
モジュール９が家具本体２に取り付けられ、モジュール１０が引き出し３に取り付けられる構成が好ましい。しかしながら、逆の構成も考えることができる。
【００３２】
一方のコイル１３が、第１のモジュール９に配置され、他方のコイル１４が、第２のモジュール１０に配置されることが好ましい。すなわち、コイル１３、１４が、一方のコイル１４が引き出しと一緒に出し入れされるため、互いに対して可動である（引き出し３の引き出された位置が図示されている図２も参照）。
【００３３】
２つのコイル１３、１４が、少なくとも引き出し３が家具本体に完全またはほぼ完全に引き込まれた位置にあるときに、結合装置のモジュール９、１０または回路１１、１２の間でエネルギーおよびデータの伝達が可能であるような様相で家具本体２および引き出し３に配置することが、不可欠である。
【００３４】
対照的に、引き出し３が引き出された位置にあるときは、本発明の教示によれば、少なくとも１つの操作装置７が家具の排出装置を作動させるために使用され、そのような排出装置が、単に引き出しを引き込まれた位置から或る程度排出するという目的のためだけに設計され、引き出しを閉じるためには使用されない（引き出しの閉鎖は、依然として引き出しを押すことによって手動で行われる）場合に、エネルギーおよびデータの伝達を省略することも可能である。
【００３５】
図２から見て取ることができるように、例えば、一方のモジュール９を、家具本体の後壁１５の内側に配置することができ、他方のモジュール１０を、引き出し３の設置横木１６に配置することができる。
【００３６】
家具本体に配置されたモジュール９が、好ましくは多導体のケーブル１７によって排出装置１８または他の電気装置に接続され、好ましくは排出装置および回路１１の電源として使用される電源ユニット（ここでは、図示されていない）に接続される。
【００３７】
引き出し３上または引き出し３内に位置するモジュール１０は、好ましくは、多導体のケーブル１９によって少なくとも１つまたは複数の操作装置７に接続される。
【００３８】
少なくとも一方のモジュールが、割当先の家具部品において可動であるように配置されるならば、とくに好適である。この目的のため、図３によれば、家具本体２に配置されたモジュール９は、家具本体２に対して限られた態様で可動である。
【００３９】
これは、モジュール９の回路１１を収容するためのハウジングの中央領域２０ａが、モジュールをねじなどを使用して家具本体に設置するための設置手段（ここでは、切り欠き２５）を有しているハウジングの領域２０ｂ、ｃに対して可動であるように接続されることで、単純な方法で実現される。
【００４０】
この可動性は、ハウジングの領域２０ａが、領域２０ｂ、ｃとして使用され、設置手段２５を有している設置プレート２７へと、１つ以上のばね膜２６を介して接続されることによって実現することができる。可動性を、弾性材料そのものによって実現することも可能である。
【００４１】
ハウジングの領域２０ａは、好ましくは、設置プレート２７の間の中央に位置しており、両側において、互いに間隔をあけて位置する１つ以上（ここでは、３つ）の波状に湾曲したばね膜２６によって、設置プレート２７へと接続されている。可動のばね膜２６が伸縮可能であり、可動性を実現する。
【００４２】
ばね膜２６および設置プレート２７を有するハウジング２０を、特にプラスチックから一部品として製造することが、好都合かつ費用対効果に優れると考えられる。
【００４３】
上述の構成は、ハウジングのコイル１３を有している領域２０ａが、ばね膜２６によって家具本体２に対して或る程度可動であるため、変位の方向に対する横方向にも互いに可動である家具本体２および引き出し３の家具部品の間に特定の遊びがもたらされ、したがって互いに可動である家具本体２および引き出し３の家具部品が押し合わせられるときに、引き出し３の延長部２３が受け入れ構造２２へと確実に案内されるという効果を、単純でありながらきわめて好適な態様で達成する。これにより、この構成について、きわめて良好な機能的信頼性が保証され、結合装置を、あまり正確には組み立てられておらず、あるいは互いにより大きな遊びを伴って案内される家具部品においても、使用できるようになる。
【００４４】
延長部２３および／または受け入れ構造２２をわずかに円錐形の設計にすることによって、機能的信頼性をさらに向上させることが考えられる。さらに、受け入れ構造２２が、フェライト磁芯を有する延長部２３よりも幾分か大きいが、回路１１、１２の機能を損なうことがない直径を有してもよい。最後に、フェライト磁芯１３が受け入れ構造１３へと差し込まれず、受け入れ構造のきわめて近くに位置する場合、すなわち引き出し３が意図せずに完全に閉められていない場合でも、エネルギーおよびデータの伝達を依然として保証することも考えられる。
【００４５】
あるいは、コイル１３、１４が、引き込まれた状態において別のやり方でお互いに対して向いてもよい。
【００４６】
図９によれば、励起子として実現されて家具本体２に位置する回路１１が、好ましくは、電源装置２８、電源装置２８の下流の発振器２９、発振器２９の下流のパルス整形装置３０、および装置３０の下流の誘導結合素子３１（図３において、コイル１３によって形成されている）を有している。
【００４７】
このようにして、誘導結合素子３１から、引き出し３に位置する対応する結合素子３６へとエネルギーを伝達でき、好ましくはトランスポンダとして実現される結合素子３６が、引き出しに位置する回路１２へと電気エネルギーを供給する目的に使用される。理論的には、エネルギーに加えて、さらにデータもトランスポンダへと伝達することが考えられるが、これは絶対に必要というわけではない。
【００４８】
誘導結合素子３１へと結合させられ、さらには／あるいはトランスポンダによって無線で送信されて、結合素子３１によって受信される信号は、結合素子３１から信号サンプリング装置３２へと導かれ、信号サンプリング装置３２の下流に配置された復調器３３および信号分析装置３４を、上述の排出装置などの消費物をこれらの信号の関数として動作させる目的のために設計することができる。
【００４９】
制御装置（特に、マイクロコントローラ３５）に、回路の構成要素のうちの１つ以上を備えることができる。ここでは、発振器２９、パルス整形装置３０、信号サンプリング装置３２、復調器３３、および信号分析装置３４へと接続されている。
【００５０】
図１０によれば、トランスポンダとして実現される家具本体２の回路１２は、図３においてコイル１４によって形成されている誘導結合素子３６を有している。トランスポンダへと伝達されるエネルギーおよび互いに送信される信号の両者を分離でき、かつ／またはそれらを使用することができるよう、電源装置３７およびパルス分離段３８が、ここでは並列回路にて誘導結合素子３６の下流に位置している。パルス分離段３８は、好ましくはマイクロコントローラとして実現される制御装置３９へと接続される。
【００５１】
入力／出力ロジック４０が割り当てられる操作装置が、制御装置３９の入力に接続される。
【００５２】
操作装置７における入力の関数として、信号が、電源装置３７の下流に位置し、制御装置３９に接続されている変調器４１によって、変調器４１の下流の発振器４２へと出力され、次いで発振器４２の信号が、制御信号を家具本体に位置する励起子へと伝達するために、誘導結合素子３６へと伝えられる。
【００５３】
このようにして、エネルギーの伝達およびデータの伝達の両方が家具本体２と引き出し３との間で無線によって行われるため、簡単な方法で、引き出し３と家具本体２との間に携行されるケーブルを省略することができる。類似の構成を、家具本体２と回転扉などの他の可動の家具部品３との間に実現することが可能であろう。
【００５４】
図８に示されるように、一方および他方、すなわちトランスポンダ１２から励起子１１へのデータの伝達Ｓおよび励起子１１からトランスポンダ１２へのエネルギーの伝達Ｅが、ブロックＥ、Ｓ、Ｅにおいて時間に関してずらされた様相で行われることが、エネルギーの伝達および信号の分析をきわめて簡単かつ確実にするがゆえに、必須ではないが、きわめて好都合である。
【００５５】
本発明によれば、操作装置をただ１つの引き出し３にのみ設け、それでもなお家具本体の他の引き出し４、５を作動させることが可能である。これを、例えば、操作装置７をユーザにとって良好にアクセスすることができる引き出し３に位置させ、下方または上方に位置する多少なりともアクセスが容易でない引き出し（例えば、引き出し５など）を完全または部分的に開く目的に使用するようなやり方で、使用することができる。
【００５６】
さらに、引き出し３の操作装置７を、まったく別の引き出しの排出装置１８を作動させる目的のためだけに使用することも考えられる。
【００５７】
さらには、或る家具の操作装置によって、別の家具の可動の家具部品を作動させることも考えられる。これは、フィールドバスなどの家具のお互いのネットワーク化に類似している。
【００５８】
図４に示されるように、回路１１、１２を、好ましくはモジュール９、１０またはハウジング２０、２１へと完全に一体化でき、モジュール９、１０またはハウジング２０、２１に、電気導体を接続するためのコンタクト４３またはプラグ装置を備えることができる。しかしながら、これは、回路の機能に絶対に必要というわけではない。
【００５９】
互いに押し付けられる表面の間の清浄化効果も、開閉時に、部材２２、２３の領域における摩擦によって、随意により達成される。
【符号の説明】
【００６０】
１  家具
２  家具本体
３、４、５  引き出し
６  前面パネル
７  入力装置
８  結合装置
９  第１のモジュール
１０  第２のモジュール
１１、１２  回路
１３、１４  コイル
１５  家具本体の後壁
１６  設置横木
１７  多導体ケーブル
１８  排出装置
１９  多導体ケーブル
２０、２１  ハウジング
２２  受け入れ構造
２３  延長部
２４  ピン
２５  固定手段
２６  ばね膜
２７  設置プレート
２８  電源装置
２９  発振器
３０  パルス整形装置
３１  結合素子
３２  信号サンプリング装置
３３  復調器
３４  信号分析装置
３５  マイクロコントローラ
３６  結合素子
３７  電源装置
３８  パルス分離段
３９  制御装置
４０  入力／出力ロジック
４１  変調器
４２  発振器
Ｓ  データの伝達
Ｅ  エネルギーの伝達
【図１】
2011505184.tif 000003
【図２】
2011505184.tif 000004
【図３】
2011505184.tif 000005
【図４】
2011505184.tif 000006
【図５】
2011505184.tif 000007
【図６】
2011505184.tif 000008
【図７】
2011505184.tif 000009
【図８】
2011505184.tif 000010
【図９】
2011505184.tif 000011
【図１０】
2011505184.tif 000012
【国際調査報告】
2011505184.tif 000013
2011505184.tif 000014
2011505184.tif 000015
2011505184.tif 000016